(57)【特許請求の範囲】
【請求項１】
少なくとも回路基板、発光素子、導光板、拡散シート、偏光板、半透過反射シートを備え、回路基板に回路基板面上部に出光する発光素子を搭載し、発光素子の上面に該発光素子を包み込むようにした導光板を回路基板に立てるように搭載し、該導光板の主面片側より発光素子からの光を出光させ、導光板の出光面に近接して拡散シートと偏光板を配置し、該偏光板から回路基板に平行な光を出光させ、該平行光の前方に反射光が回路基板に入射するように半透過反射シートを配置したことを特徴とする反射型液晶表示装置用フロントライト。
【請求項２】
少なくとも導光部材、拡散部材、偏光板、半透過反射シートを位置決め固定する筐体を有し、導光部材、拡散部材、偏光板、半透過反射シートは単体又は組み合わせて筐体に組み込めることを特徴とする請求項１記載の反射型液晶表示装置用フロントライト。
【請求項３】
拡散シートと偏光板の間にプリズムシートを配置したことを特徴とする請求項１または２記載の反射型液晶表示装置用フロントライト。
【請求項４】
少なくとも回路基板、発光素子、導光板、拡散シート、偏光板、半透過反射シート、反射型液晶パネルを備え、回路基板上部に反射型液晶パネルと回路基板面上部に出光する発光素子を搭載し、発光素子の上面に該発光素子を包み込むようにした導光板を回路基板に立てるように搭載し、該導光板の主面片側より発光素子からの光を出光させ、導光板の出光面側に近接して拡散シートと偏光板を配置し、該偏光板から回路基板に平行な光を出光させ、該平行光の前方に反射光が反射型液晶パネルに入射するように半透過反射シートを配置したことを特徴とする反射型液晶表示装置。
【請求項５】
少なくとも導光部材、拡散部材、偏光板、半透過反射シートを位置決め固定する筐体を有し、導光部材、拡散部材、偏光板、半透過反射シートは単体又は組み合わせて筐体に組み込めることを特徴とする請求項５記載の反射型液晶表示装置。
【請求項６】
拡散シートと偏光板の間にプリズムシートを配置したことを特徴とする請求項４または５記載の反射型液晶表示装置。
【発明の詳細な説明】
【０００１】
【発明の属する技術分野】
本発明は反射型液晶表示装置用フロントライト及び反射型液晶表示装置に関するものである。
【０００２】
【従来の技術】
液晶表示装置は小型軽量な表示装置として多用されている。小型ビデオカメラにおいても電子ビューファインダーとして使われているが、従来使用されている液晶ビューファインダーは透過型液晶表示装置であった。
【０００３】
【発明が解決しようとする課題】
本発明は反射型液晶表示装置とそれに使用される反射型液晶表示装置用フロントライトに関するものであり、液晶表示パネルの表示面側から液晶表示パネルに照明光を投射しなければならない。
【０００４】
【課題を解決するための手段】
少なくとも回路基板、発光素子、導光板、拡散シート、偏光板、半透過反射シートを備え、回路基板に回路基板面上部に出光する発光素子を搭載し、発光素子の上面に該発光素子を包み込むようにした導光板を回路基板に立てるように搭載し、該導光板の主面片側より発光素子からの光を出光させ、導光板の出光面に近接して拡散シートと偏光板を配置し、該偏光板から回路基板に平行な光を出光させ、該平行光の前方に反射光が回路基板に照射するように半透過反射シートを配置した反射型液晶表示装置用フロントライトとする。
【０００５】
少なくとも回路基板、発光素子、導光板、拡散シート、偏光板、半透過反射シート、反射型液晶パネルを備え、回路基板上部に反射型液晶パネルと回路基板面上部に出光する発光素子を搭載し、発光素子の上面に該発光素子を包み込むようにした導光板を回路基板に立てるように搭載し、該導光板の主面片側より発光素子からの光を出光させ、導光板の出光面側に近接して拡散シートと偏光板を配置し、該偏光板から回路基板に平行な光を出光させ、該平行光の前方に反射光が反射型液晶パネルに照射するように半透過反射シートを配置した反射型液晶表示装置とする。
【０００６】
少なくとも導光部材、拡散部材、偏光板、半透過反射シートを位置決め固定する筐体を有し、導光部材、拡散部材、偏光板、半透過反射シートは単体又は組み合わせて筐体に組み込める構造とする。
【０００７】
拡散シートと偏光板の間にプリズムシートを配置する。
【０００８】
【発明の実施の形態】
図１は本発明の反射型液晶表示装置の一実施形態を示すものでＡは正面断面図、Ｂは上面図である。回路基板１の上面に液晶パネル２と発光素子３が搭載され、液晶パネルの周囲を囲む基台４が固定されている。基台４には３つのガイドピン４ａ、４ｂ、４ｃが備えられており、ガイドピンにより筐体５が位置決め固定されている。発光素子３の上部に位置する筐体５の部分は凹部５ａになっており、筐体５の内側からみて、偏光板６、拡散板７、導光板８、反射板（反射枠）９が組み込まれている。導光板８は回路基板１に立てるように組み込まれ（本実施形態では基台の上部であるが導光板８の端部に発光素子３を収納できる凹部を設けて回路基板１に直接立てる構造もとりうる）ている。液晶パネル２の上部に位置する筐体５の部分は空洞になっており、その上部は開放されている。図１（Ａ）で示したように筐体５を正面から見ると筐体５の上面は左下がりの斜面に形成されており、斜面部５ｂには空洞部を覆うように半透過反射シート１０が組み込まれている。半透過反射シート１０は反射シート１０ａと偏光板１０ｂの積層板である。
【０００９】
図２は本発明の反射型液晶表示装置の他の実施形態を示すもので分解斜視図である。図１の構成と異なるのは偏光板６と拡散板７の間にレンズシート１１を配置した点であり、半透過反射シートは図示していない。符号は図１と共通である。
導光板（不図示）と反射板（反射枠）９は一体化してあるが、その他の構成部品は筐体５に個々に組立てられる構造としてある。拡散板６、レンズシート１１、拡散板７は導光板８と一緒に反射板９の中に組み込み一体化しておいてもよい。
【００１０】
図３は図１と同じ図で、本発明の反射型液晶表示装置の一実施形態を示すものでＡは正面断面図、Ｂは上面図である。反射型液晶表示装置は図中に示す目１２方向から画像を見るものである。発光素子３からの光（矢印▲１▼）は導光板８の下面から導光板８に導入される。反射板９で反射された光は拡散板７で拡散され、偏光板６を透過した直線偏光光（以下Ｐ波という）だけが矢印▲２▼の方向に進む。半透過反射シート１０はＰ波を反射するものであり、半透過反射シート１０で反射されたＰ波は矢印▲３▼に進み反射型液晶パネル２に入射するように半透過反射シート１０が斜めに配置されている。
【００１１】
反射型液晶パネル２は電源オフ状態でＰ波がそのまま液晶を通過するように配置してあり、反射型液晶パネル２で反射されたＰ波は矢印▲４▼方向に進む。半透過反射シート１０の偏光板１０ｂはＰ波を透過しない状態に配置してあり、電源オフ状態では黒表示状態となっている。
【００１２】
反射型液晶パネル２の電源オン状態ではＰは液晶で偏光され、反射型液晶パネル２で偏光されて反射された偏光光は矢印▲４▼方向に進む。半透過反射シート１０の偏光板１０ｂは電源オン状態で反射された光を透過する状態に配置されているので、電源オン状態では白表示状態となっている。
【００１３】
偏光板の偏光方向と反射型液晶パネルの配置・組み合せは反射型液晶パネルにより適宜選定される。
【００１４】
プリズムシートは拡散板からの光を集光し輝度を向上させるためのものである。
【００１５】
【発明の効果】
回路基板に反射型液晶パネルと発光素子を搭載し、その上に筐体にフロントライトを構成する部品を組み込んだフロントライトユニットを搭載するので、小型で構成部品の少ないフロンライト及びそれを使用した反射型液晶表示装置が得られる。前記の実施形態では一番大きい基板の外形が１５mm×１７mmである。このような小型・軽量な液晶表示装置は小型ビデオカメラのビューファインダーとして使用するには最適な表示装置である。
【００１６】
拡散板と偏光板の間にレンズシートを配置することで輝度を上げることができ、同じ輝度であれば、低消費電力のフロントライトが得られる。
【００１７】
発光素子を反射型液晶パネルと同じ基板に搭載し、その上部に導光板を配置したので、基板が一枚ですみ、反射型液晶表示装置の構成が簡素になった。
【００１８】
フロントライトの構成部品を筐体に個々に組み込み取り外しができる構造としたので、製造時やメインテナンス時の部品交換が容易であり、フロントライト部のみを交換することも可能である。
【図面の簡単な説明】
【図１】本発明の反射型液晶表示装置の一実施形態を示すものでＡは正面断面図、Ｂは上面図
【図２】本発明の反射型液晶表示装置の他の実施形態を示すもので分解斜視図
【図３】本発明の反射型液晶表示装置の一実施形態を示すものでＡは正面断面図、Ｂは上面図
【符号の説明】
１      回路基板
２      反射型液晶パネル
３      発光素子
４      台座
４ａ    ガイドピン
４ｂ    ガイドピン
４ｃ    ガイドピン
５      筐体
５ａ    筐体の凹部
５ｂ    斜面部
６      偏光板
７      拡散板
８      導光板
９      反射板
１０    半透過反射シート
１０ａ  反射シート
１０ｂ  偏光板
１１    レンズシート
１２    目
【図１】
0003539904.tif 000002
【図２】
0003539904.tif 000003
【図３】
0003539904.tif 000004